(57)【要約】【課題】  クレジットカード利用時に発行される伝票について、印字されたクレジットカード情報の盗用を防止し且つ当該伝票にかかる決済に利用したカードを識別可能にするための技術を提供する。【解決手段】  本発明にかかる、伝票を印刷するための情報を生成する方法は、カード番号を含む決済申込データを決済端末から受信し且つ当該決済が可能であると判断された場合に、利用者により予め指定され且つカード番号に対応づけられた記号を特定する工程と、カード番号の特定の桁を記号に置き換えて、利用者が決済に用いたカードを特定するためのカード特定情報を生成する工程と、生成されたカード特定情報を含み且つ決済端末の印刷装置が伝票を印刷する際に用いる決済完了情報を生成する工程と、生成された決済完了情報を決済端末に送信する工程とを含む。【選択図】図１
2006259947.tif 000002
【特許請求の範囲】
【請求項１】
クレジットカード番号を含む決済申し込みデータを決済端末から受信し且つ当該決済申し込みにかかる決済が可能であると判断された場合に、前記決済申し込みにかかる利用者により予め指定され且つ前記クレジットカード番号に対応づけて記憶部に格納された記号を、前記クレジットカード番号を用いて特定するステップと、
前記クレジットカード番号の特定の桁を前記記号に置き換えて、前記利用者が前記決済申し込みにかかるクレジットカードを特定するためのカード特定情報を生成するステップと、
生成された前記カード特定情報を含み且つ前記決済端末の印刷装置が前記決済申し込みにかかるカード利用記録票を印刷する際に用いる決済完了情報を生成するステップと、
生成された前記決済完了情報を、前記決済端末に送信するステップと
を含み、コンピュータにより実行される情報処理方法。
【請求項２】
前記記号が、少なくとも１つの図画を含む、請求項１記載の情報処理方法。
【請求項３】
前記図画が、前記クレジットカードに印刷されている図画と同一又は対応するものである請求項２記載の情報処理方法。
【発明の詳細な説明】
【技術分野】
【０００１】
本発明は、クレジットカード情報の盗用を防止するための技術に関する。
【背景技術】
【０００２】
利用者がクレジットカードを用いて決済申し込みをすると、店舗にある決済端末からクレジットカード会社のサーバに決済申し込み情報が送信される。決済が可能であると判断された場合、上記決済端末は、上記サーバから受信した決済完了情報を用いて伝票を印刷する。当該伝票には、利用金額や利用店舗名等に加えて、カード番号の全ての数字も印字されていることが一般的である。このような伝票を悪意のある第三者が取得した場合、当該カード番号が悪用されてしまうおそれがある。
【０００３】
これに対して非特許文献１には、クレジットカード情報の悪用を防止するために、クレジットカード情報の一部を伝票に印刷しない方法が開示されている。具体的には、例えばカード番号の一部を「ＸＸＸ」というようにマスクして印字する、カード番号の一部だけを印字する、あるいは利用者名を印字しないというように、重要な情報を伝票に印字しない方法が記載されている。
【非特許文献１】林  伸夫、"危険なクレジット・カード伝票，なぜ国内では対策されないのか"、［online］、平成１５年８月２７日、日経ＢＰ社、［平成１７年１月２８日検索］、インターネット〈URL：http://itpro.nikkeibp.co.jp/free/ITPro/OPINION/20030826/1/〉
【発明の開示】
【発明が解決しようとする課題】
【０００４】
しかし、利用者が複数のクレジットカードを所持することが一般的な状況において、伝票にクレジットカード情報が印刷されないと、当該伝票についてどのクレジットカードを利用したかが識別できなくなるおそれがある。
【０００５】
よって本発明の目的は、クレジットカード利用時に発行される伝票について、印字されたクレジットカード情報の盗用を防止し且つ当該伝票にかかる決済に利用したクレジットカードを識別可能にするための技術を提供することである。
【課題を解決するための手段】
【０００６】
本発明にかかる情報処理方法は、カード利用記録票（例えばクレジットカード利用時に発行される伝票、領収書、レシート等）を印刷するための情報を生成する方法であって、クレジットカード番号を含む決済申し込みデータを決済端末から受信し且つ当該決済申し込みにかかる決済が可能であると判断された場合に、上記決済申し込みにかかる利用者により予め指定され且つ上記クレジットカード番号に対応づけて記憶部に格納された記号（例えば、符号、図画等を含む）を、上記クレジットカード番号を用いて特定するステップと、上記クレジットカード番号の特定の桁を上記記号に置き換えて、上記利用者が上記決済申し込みにかかるクレジットカードを特定するためのカード特定情報を生成するステップと、生成された上記カード特定情報を含み且つ上記決済端末の印刷装置が上記決済申し込みにかかるカード利用記録票を印刷する際に用いる決済完了情報を生成するステップと、生成された上記決済完了情報を上記決済端末に送信するステップとを含む。
【０００７】
本方法により生成された情報を用いて印刷された伝票には、カード番号の一部が印字されていないため、第三者が上記伝票を取得した場合に、クレジットカード情報の悪用を防止できる。またカード番号に置き換えて予め利用者が指定した記号が印刷されているため、利用者が複数のクレジットカードを所持する場合にも、当該伝票に印刷された記号を用いて、当該決済に利用したクレジットカードを特定することができる。
【０００８】
また、上記記号が、少なくとも１つの図画を含むようにしてもよい。これにより、文字や符号を用いる場合よりも容易に上記クレジットカードを特定することができる。
【０００９】
さらに、上記図画が、上記クレジットカードに印刷されている図画と同一又は対応するものであってもよい。これにより、利用者はクレジットカードに印刷された図画と伝票に印刷された図画とを照合することで、当該伝票にかかる決済に用いられたクレジットカードを容易に特定することができる。
【００１０】
本発明にかかる情報処理方法をコンピュータに実行させるためのプログラムを作成することができ、当該プログラムは、例えばフレキシブル・ディスク、ＣＤ−ＲＯＭ、光磁気ディスク、半導体メモリ、ハードディスク等の記憶媒体又は記憶装置に格納される。また、ネットワークを介してディジタル信号にて頒布される場合もある。なお、処理途中のデータについては、コンピュータのメモリ等の記憶装置に一時保管される。
【発明の効果】
【００１１】
本発明によれば、クレジットカード利用時に発行される伝票について、印字されたクレジットカード情報の盗用を防止し、さらに当該伝票にかかる決済に利用したクレジットカードを識別可能にすることができる。
【発明を実施するための最良の形態】
【００１２】
本発明の一実施の形態において、利用者は、クレジットカードの発行を申し込む際に、予めクレジットカードを識別するための３桁の符号及びイラストを登録し、当該イラストが印刷されたクレジットカードの発行を受ける。利用者が当該クレジットカードを用いて決済を申し込んだ場合に発行されるレシートには、カード番号については一部のみが印刷され、代わりに利用者が予め登録しておいた３桁の符号及びイラストとからなる情報が印刷される。以下、クレジットカード発行処理及びレシート印刷処理からなる本実施の形態について詳細に説明する。
【００１３】
１．クレジットカード発行処理
本実施の形態においては、利用者は、クレジットカードの発行申し込みの際に、当該クレジットカードを識別するための符号及びイラストを予め指定する必要がある。また、申し込みが完了すると、利用者が指定したイラストが印刷されたクレジットカードが作成される。従って、以下に説明するクレジットカード発行処理は、クレジットカードの発行申込情報を登録するクレジットカード申込処理と、登録された情報を用いてクレジットカードを作成するクレジットカード作成処理とを含む。
【００１４】
図１に、クレジットカード発行処理を実施する際におけるシステム概要と、サーバの機能ブロックの一部を示す。入力端末３及びカード会社サーバ７は、ネットワーク１に接続されている。管理サーバ９及びカード作成装置１１は、カード会社サーバ７に接続されている。入力端末３は、申込データ入力受付部３０１と申込データ送信部３０３とを有する。カード会社サーバ７は、申込データ受信部７０１と、申込データ格納部７０３と、カード番号採番部７０５と、申込データ登録要求送信部７０７と、カード作成用データ受信部７１１と、カード作成用データ格納部７１３と、イメージデータ格納部７１５と、カード作成要求部７１７とを有する。管理サーバ９は、申込データ登録要求受信部９０１と顧客ＤＢ９０３とカード作成用データ送信部９０５とを有する。なお、カード会社サーバ７及び管理サーバ９は、単一のサーバであってもよい。また、カード作成用データ受信部７１１、カード作成用データ格納部７１３、イメージデータ格納部７１５、及びカード作成要求部７１７は、クレジットカード作成処理にかかる機能ブロックであり、カード会社サーバ７とは異なるコンピュータ上に構成されるようにしてもよい。
【００１５】
入力端末３の申込データ入力受付部３０１は、入力端末を操作するオペレータからの入力を受け付けて、入力されたデータを申込データ送信部３０３に出力する。申込データ送信部３０３は、出力されたデータを、ネットワーク１を介してカード会社サーバ７に送信する。
【００１６】
カード会社サーバ７の申込データ受信部７０１は、ネットワーク１を介して入力端末３からデータを受信し、申込データ格納部７０３に格納する。カード番号採番部７０５は、申込データ格納部７０３を参照して処理を行い、処理結果を申込データ格納部７０３に格納する。申込データ登録要求送信部７０７は、申込データ格納部７０３からデータを読み出して処理を行い、処理結果を管理サーバ９に送信する。
【００１７】
管理サーバ９の申込データ登録要求受信部９０１は、カード会社サーバ７からデータを受信し、顧客ＤＢ９０３に格納する。カード作成用データ送信部９０５は、顧客ＤＢ９０３からデータを読み出して、カード会社サーバ７に送信する。
【００１８】
カード会社サーバ７のカード作成用データ受信部７１１は、管理サーバ９からデータを受信して、カード作成用データ格納部７１３に格納する。カード作成要求部７１７は、カード作成用データ格納部７１３及びイメージデータ格納部７１５からデータを読み出して処理を行い、処理結果をカード作成装置１１に送信する。
【００１９】
（１）クレジットカード申込処理
次に、図２を用いて本実施の形態におけるクレジットカード申込処理について説明する。ここでは、申込者がクレジットカードの申込書に記入した内容を、カード会社のオペレータが入力端末３に入力する場合について説明するが、申込者がインターネットを通じてカード会社のホームページにアクセスして、直接申し込み内容を入力するようにしてもよい。
【００２０】
入力端末３の申込データ入力受付部３０１は、オペレータからクレジットカードの発行申し込みにかかるデータの入力を受け付け、申込データ送信部３０３に当該データを出力する（ステップＳ１）。申込データ送信部３０３は、入力されたカード発行申込データを、カード会社サーバ７に送信する（ステップＳ３）。カード発行申込データには、申込者の氏名、住所、及び銀行の口座番号といった、クレジットカードの発行申し込みに必要である一般的な情報に加えて、クレジットカードを識別するための符号及びイラストの指定が含まれる。符号及びイラストは、後に発行されるクレジットカードを用いた決済を申し込んだ時に発行されるレシートに印刷されるものであり、クレジットカード会社又はカード番号とは無関係に、申込者が指定するものである。また、イラストは、後に発行されるクレジットカードに印刷され、レシートとの照合に用いられる。
【００２１】
ステップＳ１において表示される申込データ入力画面の一例を、図３を用いて説明する。図３の画面例は、氏名の入力欄３００１と、住所の入力欄３００３と、口座番号の入力欄３００５と、符号の選択欄３０１１と、イラストの選択欄３０２１と、決定ボタン３０３１とを含む。この他、図示しないその他のクレジットカードの発行申し込みに必要な情報の入力欄も含まれる。オペレータは、申込者が申込書に記入した内容に基づいて、各入力欄にデータを入力する。また、申込者が申込書において選択した３桁の符号を、符号の選択欄３０１１中のカーソル３０１３を動かして、予め指定された符号群３０１５の中から選択する。本実施の形態における符号は、図３中の符号群３０１５に示されるように文字コードが割り当てられた図形であるが、アルファベットや仮名等の文字であってもよい。申込者が申込書において選択したイラストについても同様に、イラストの選択欄３０２１中のカーソル３０２３を動かして、予め指定されたイラスト群３０２５の中から選択する。イラスト群３０２５の各イラストは、カード会社サーバ７のイメージデータ格納部７１５から読み出されたイメージデータを用いて表示される。また、各イメージデータにはイメージコードが割り当てられており、オペレータがイラストを選択すると、イラストに対応するイメージコードが設定される。決定ボタン３０３１をクリックすると、入力又は選択された情報が、申込データ送信部３０３に出力される。
【００２２】
図２の処理の説明に戻って、カード会社サーバ７の申込データ受信部７０１は、入力端末３からカード発行申込データを受信して、申込データ格納部７０３に格納する（ステップＳ５）。カード番号採番部７０５は、申込データ格納部７０３に格納された情報を参照して、従来技術であるカード番号採番処理を行い、採番したカード番号をカード発行申込データに対応づけて申込データ格納部７０３に格納する（ステップＳ７）。申込データ登録要求送信部７０７は、新規に格納されたカード発行申込データ及びカード番号を申込データ格納部７０３から読み出し、申込データ登録要求として管理サーバ９に送信する（ステップＳ９）。
【００２３】
管理サーバ９の申込データ登録要求受信部９０１は、カード会社サーバ７から申込データ登録要求を受信し（ステップＳ１１）、当該申込データ登録要求に含まれる申込データ及びカード番号を、顧客ＤＢ９０３に登録する（ステップＳ１３）。
【００２４】
顧客ＤＢ９０３に登録されるデータの一例を、図４を用いて説明する。図４に示した例では、顧客ＤＢ９０３に登録されるデータテーブルには、カード番号の列４００１と、氏名の列４００３と、住所の列４００５と、符号１の列４０１１と、符号２の列４０１３と、符号３の列４０１５と、イメージコードの列４０２１とが設けられている。図示していないが、電話番号の列や銀行の口座番号の列など、クレジットカードの発行申し込みに必要である一般的な情報を登録する列も含まれる。
【００２５】
（２）クレジットカード作成処理
クレジットカードの発行申込情報が登録されると、引き続いてクレジットカード作成処理が行われる。図２を用いて本実施の形態におけるクレジットカード作成処理について説明する。カード作成用データ送信部９０５は、顧客ＤＢ９０３に新規に登録されたカード番号並びに氏名その他のクレジットカード作成に必要な情報、及び３桁の符号並びにイメージコードを読み出し、カード作成用データとしてカード会社サーバ７に送信する（ステップＳ１５）。カード会社サーバ７のカード作成用データ受信部７１１は、管理サーバ９からカード作成用データを受信し、カード作成用データ格納部７１３に格納する（ステップＳ２１）。カード作成要求部７１７は、カード作成用データ格納部７１３を参照して、カード作成用データに含まれるイメージコードに対応するイメージデータをイメージデータ格納部７１５から読み出す（ステップＳ２３）。
【００２６】
イメージデータ格納部７１５には、イメージデータに加えて、イメージコードとイメージデータとを対応づけるコード変換表が格納されている。図５に、コード変換表のデータの一例を示す。図５のデータテーブルには、イメージコードの列５００１と、ファイル名の列５０１１と、イメージの説明の列５０２１とが設けられている。本実施の形態においては、申込者が「イヌ」のイラストを選択した場合について説明する。この場合、カード作成用データに含まれるイメージコードは「０１」であり、当該イメージコードに対応する「０１．ｊｐｇ」ファイルがイメージデータ格納部７１５から読み出される。
【００２７】
図２の処理の説明に戻って、カード作成要求部７１７は、読み出したイメージデータ及びカード作成用データを含むカード作成要求を、カード作成装置１１に送信する（ステップＳ２５）。カード作成装置１１は、カード会社サーバ７からカード作成要求を受信すると（ステップＳ３１）、磁気データの登録、及びカード番号や氏名のエンボス加工といった、従来のカード作成処理を行う（ステップＳ３３）。次に、カード会社サーバ７から受信したイメージデータを用いて、イラストをカードに印刷する（ステップＳ３５）。なお、ステップＳ３３及びＳ３５の処理は、並行して実施しても、順番を入れ替えて実施してもよい。
【００２８】
イラストが印刷されたクレジットカードの一例を、図６に示す。図６に示したクレジットカードは、カード番号６００１と、利用者の氏名６００３とがエンボス加工され、カード種別の表示６０１１と、カード会社の標章６０１３と、イラスト６０２１とが印刷されている。この他、図示しない有効期限の情報や磁気ストライプも含む。イラストは、予め利用者が指定したものであり且つクレジットカードを用いた決済時に発行されるレシートに印刷されるイラストと同一のものである。すなわち、クレジットカードのデフォルトの図柄ではなく、利用者毎に印刷されるものである。これにより、利用者はレシートに印刷されるイラストとクレジットカードに印刷されたイラストとを照合することで、決済において用いられたクレジットカードを特定することができる。
【００２９】
なお、イラストが印刷される場所は一例であり、カード表面の他の部分、又はカード裏面に印刷されていてもよい。また、イメージデータ格納部７１５がカード作成装置１１に含まれており、カード作成装置１１がカード会社サーバ７から受信したイメージコードに対応するイメージデータを読み出すようにしてもよい。さらに、申込者が選択したイラストと同一の図画ではなく、当該イラストとの対応関係がわかる他の図画が印刷されてもよい。
【００３０】
また、クレジットカードを識別するための符号及びイラストは、クレジットカードの発行申し込みの時に指定するだけでなく、既にクレジットカードの発行を受けた利用者が事後的に指定できるようにしてもよい。この場合、図３に示す申込データ入力画面においては、符号及びイラストだけを選択させるようにする。
【００３１】
２．レシート印刷処理
次に、本実施の形態において、利用者が上記クレジットカード発行処理により発行されたクレジットカードによる決済を申し込んだ場合のレシート印刷処理について説明する。図７にレシート印刷処理におけるシステム概要と、サーバの機能ブロックの一部を示す。決済端末５及びカード会社サーバ７は、専用回線等のネットワーク１３に接続されている。管理サーバ９は、カード会社サーバ７に接続されている。決済端末５は、例えば店舗に設置されるクレジットカード決済用端末であって、決済データ入力受付部５０１と、カード読取部５０３と、決済申込データ送信部５０５と、レシート印刷情報受信部５１１と、レシート印刷部５１３とを有する。カード会社サーバ７は、決済申込データ受信部７２１と、決済申込データ格納部７２３と、決済チェック処理部７２５と、印刷用コード取得要求送信部７２７と、印刷用コード受信部７３１と、印刷用コード変換部７３３と、イメージデータ格納部７１５と、レシート印刷情報生成処理部７３５と、レシート印刷情報格納部７３７と、レシート印刷能力特定部７４１とを有する。管理サーバ９は、印刷用コード取得要求受信部９１１と、印刷用コード取得処理部９１３と、顧客ＤＢ９０３とを有する。なお、図７に示すカード会社サーバ７及び管理サーバ９の機能ブロックのうち、図１に示す機能ブロックと名称及び符号が同じものについては、図１における機能ブロックと同一のものである。また、図１に示す機能ブロックのうち、レシート印刷処理において用いられないものは、図７において図示を省略している。なお、カード会社サーバ７及び管理サーバ９は、単一のサーバであってもよい。
【００３２】
決済端末５の決済データ入力受付部５０１は、オペレータからの入力を受け付け、入力されたデータを決済申込データ送信部５０５に出力する。カード読取部５０３は、クレジットカード情報を読み取り、読み取ったデータを決済申込データ送信部５０５に出力する。決済申込データ送信部５０５は、出力されたデータをネットワーク１３を介してカード会社サーバ７に送信する。
【００３３】
カード会社サーバ７の決済申込データ受信部７２１は、ネットワーク１３を介して決済端末５からデータを受信して、決済申込データ格納部７２３に格納する。決済チェック処理部７２５は、決済申込データ格納部７２３からデータを読み出して処理を行い、処理結果を決済申込データ格納部７２３に格納する。印刷用コード取得要求送信部７２７は、決済申込データ格納部７２３からデータを読み出して処理を行い、処理結果を管理サーバ９に送信する。
【００３４】
管理サーバ９の印刷用コード取得要求受信部９１１は、カード会社サーバ７からデータを受信し、受信したデータを印刷用コード取得処理部９１３に出力する。印刷用コード取得処理部９１３は、出力されたデータを用いて、顧客ＤＢ９０３を参照して処理を行い、処理結果をカード会社サーバ７に送信する。
【００３５】
カード会社サーバ７の印刷用コード受信部７３１は、管理サーバ９からデータを受信し、印刷用コード変換部７３３へ出力する。印刷用コード変換部７３３は、出力されたデータを用いて、イメージデータ格納部７１５を参照して処理を行い、処理結果をレシート印刷情報格納部７３７に格納する。レシート印刷能力特定部７４１は、決済申込データ受信部７２１からデータを受信して処理を行い、処理結果をレシート印刷情報格納部７３７に格納する。レシート印刷情報生成処理部７３５は、レシート印刷情報格納部７３７及び決済申込データ格納部７２３からデータを読み出して処理を行い、処理結果をネットワーク１３を介して決済端末５に送信する。なお、レシート印刷情報生成処理部７３５における処理の中間結果は、レシート印刷情報格納部７３７に一時的に格納される。
【００３６】
決済端末５のレシート印刷情報受信部５１１は、ネットワーク１３を介してカード会社サーバ７からデータを受信し、受信したデータをレシート印刷部５１３に出力する。レシート印刷部５１３は、レシート印刷情報受信部５１１から受信したデータを用いて、レシートを印刷する。
【００３７】
次に、図８を用いて本実施の形態におけるレシート印刷処理について説明する。利用者が店舗において上記クレジットカード発行処理により発行されたクレジットカードによる決済を申し込んだ場合、店舗に設置された決済端末５の決済データ入力受付部５０１は、店舗のオペレータから決済金額等を含む決済データの入力を受け付ける（ステップＳ５１）。また、カード読取部５０３は、クレジットカードの磁気ストライプから、カード番号を含むクレジットカード情報を読み取る（ステップＳ５３）。なお、ステップＳ５１及びＳ５３の処理は、並行して実施しても、順番を入れ替えて実施してもよい。
【００３８】
決済申込データ送信部５０５は、決済データ及びクレジットカードの情報を、決済申込データとしてカード会社サーバ７に送信する（ステップＳ５５）。カード会社サーバ７の決済申込データ受信部７２１は、決済端末５から決済申込データを受信し、決済申込データ格納部７２３に格納する（ステップＳ６１）。決済チェック処理部７２５は、決済申込データ格納部７２３から決済申込データを読み出して、従来技術であるクレジットカード確認処理を行い、処理結果を決済申込データ格納部７２３に格納する（ステップＳ６３）。クレジットカード確認処理は例えば与信処理であり、決済チェック処理部７２５は必要に応じて管理サーバ９又は図示しない与信システム等のコンピュータにアクセスする。クレジットカード確認処理においてエラーが発生した場合には、エラーの発生を決済端末５に通知する。
【００３９】
印刷用コード取得要求送信部７２７は、カード番号を含む決済申込データを決済申込データ格納部７２３から読み出して、印刷用コード取得要求として管理サーバ９に送信する（ステップＳ６５）。管理サーバ９の印刷用コード取得要求受信部９１１は、カード会社サーバ７から印刷用コード取得要求を受信し、当該印刷用コード取得要求を印刷用コード取得処理部９１３に出力する（ステップＳ７１）。
【００４０】
印刷用コード取得処理部９１３は、顧客ＤＢ９０３を参照して、印刷用コード取得要求に含まれるカード番号に対応する符号１乃至３のデータ及びイメージコードを取得し（ステップＳ７３）、印刷用コードとしてカード会社サーバ７に送信する（ステップＳ７５）。印刷用コード受信部７３１は、管理サーバ９から印刷用コードを受信し、印刷用コード変換部７３３に出力する（ステップＳ８１）。印刷用コード変換部７３３は、イメージデータ格納部７１５に含まれるコード変換表を参照して、印刷用コードに含まれるイメージコードに対応するイメージデータを読み出し、イメージデータ及び符号１乃至３のデータをレシート印刷情報格納部７３７に格納する（ステップＳ８３）。
【００４１】
本実施の形態においては、例えばカード番号の上位１２桁を第１のレンジ、１３桁目乃至１５桁目の３桁を第２のレンジ、末尾の桁を第３のレンジに区分けして取り扱う。すなわち、レシート印刷情報生成処理部７３５は、決済申込データ格納部７２３から読み出したカード番号の上位１２桁の数字を第１のレンジのデータとして、カード番号の１３桁目乃至１５桁目の数字の代わりに符号１乃至３のデータを第２のレンジのデータとして、カード番号の末尾の数字の代わりにイメージデータを第３のレンジのデータとして用いて、カード番号を表すデータを生成する（ステップＳ８５）。なお、本実施の形態におけるカード番号の区分けは一例であり、クレジットカードによってはカード番号の桁数が異なるものもあるため、異なる区分けであってもよい。また、管理サーバ９から受信する印刷用コードにカード番号が含まれており、印刷用コード変換部７３３がカード番号をレシート印刷情報格納部７３７に格納する構成としてもよい。この場合、レシート印刷情報生成処理部７３５は、決済申込データ格納部７２３ではなくレシート印刷情報格納部７３７からカード番号を読み出してもよい。
【００４２】
次に、レシート印刷情報生成処理部７３５は、決済申込データ格納部７２３から決済金額その他の情報を含む決済完了を示すデータを読み出す。そして、生成されたカード番号を表すデータと、決済完了を示すデータとを含むレシート印刷情報を生成し、決済端末５に送信する（ステップＳ８７）。レシート印刷情報受信部５１１は、カード会社サーバ７からレシート印刷情報を受信し、レシート印刷部５１３に出力する（ステップＳ９１）。レシート印刷部５１３は、レシート印刷情報を用いて、レシートを印刷する（ステップＳ９３）。
【００４３】
ステップＳ９３において印刷されるレシートの一例を、図９に示す。図９に示すレシートは、加盟店名（決済を行った店舗）の欄９００１と、カード会社名の欄９０１１と、会員番号（カード番号）の欄９０２１と、決済金額の欄９０３１と、図示しないその他の決済完了情報とを含む。会員番号の欄９０２１は、カード番号の上位１２桁がそのまま印刷された第１の欄９０２３と、符号１乃至３が印刷された第２の欄９０２５と、イラストが印刷された第３の欄９０２７とを含む。当該レシートに印刷された符号及びイラストは、予め利用者が指定したものであり、当該イラストは決済に利用されたクレジットカードにも印刷されている。従って、利用者はレシートに印刷された符号及びイラストにより、決済に利用されたクレジットカードを特定することができる。また、カード番号の一部が印刷されていないため、クレジットカード情報の盗用も防ぐことができる。
【００４４】
以上述べたように、本実施の形態によれば、クレジットカード情報の盗用を防止し、さらに当該決済に利用したクレジットカードを特定可能であるレシートを印刷することができる。
【００４５】
以上本発明の実施の形態を説明したが、本発明はこれに限定されるものではない。例えば、カード会社サーバ７及び管理サーバ９の機能ブロック図を図１及び図７に例示したが、必ずしも実際のプログラムのモジュールに対応するものではない。また、カード会社サーバ７及び管理サーバ９が複数のコンピュータにより構成される場合もあれば、単一のコンピュータにより構成される場合もある。
【００４６】
また、利用者が指定した符号又はイラストをクレジットカードに印刷しない構成にしてもよい。この場合、ユーザは例えば指定されたイラストと当該イラストにかかるクレジットカードとの対応関係を別途保持しておくようにする。
【００４７】
なお、符号及びイラストのうちいずれか一方だけをレシートに印刷し、もう一方を印刷しないような実施の形態も考えられる。このような実施の形態は、例えばイラストを印刷できない決済端末５が接続された決済システムにおいて特に効果的である。このようなレシートを印刷するためのデータは、例えばステップＳ８５において、カード番号の上位１２桁の数字を第１のレンジのデータとして、符号１乃至３のデータを第２のレンジのデータとして、「＊」を第３のレンジのデータとして用いて生成される。なお、カード番号の盗用を防ぐために、カード番号の末尾の数字の代わりに、例えば伏せ字を示す「＊」を用いることが望ましい。また、決済端末５が、レシート印刷時にカード番号の末尾の数字を「＊」に置き換えるようにしてもよい。
【００４８】
上で説明したデータを用いて印刷されたレシートの一例を、図１０に示す。図１０に示すレシートは、図９に示すレシートと同一の構成を有し、加盟店名の欄９００１と、カード会社名の欄９０１１と、会員番号の欄９０２１と、決済金額の欄９０３１とを含む。会員番号の欄９０２１は、カード番号の上位１２桁の数字が印刷された第１の欄９０２３と、利用者により予め指定された符号が印刷された第２の欄９０２５と、図９におけるイラストの代わりに「＊」が印刷された第３の欄９０２７とを含む。当該レシートは、例えば漢字を印刷できない決済端末５により印刷されたものであり、加盟店名の欄９００１及びカード会社名の欄９０１１に漢字ではなくカタカナが印字されている。このような決済端末５では、イラストが印刷できずに代わりの文字その他が印刷されることもある。上で説明したデータを用いることにより、イラストを印刷できない決済端末５でも、クレジットカード情報の盗用を防止し且つ第２の欄９０２５に印刷された符号を用いて決済に利用したクレジットカードを特定できるレシートを印刷できる。
【００４９】
また、決済システムに印刷能力が異なる複数の決済端末５が接続されている場合も考えられる。この場合、決済端末５の種類に応じて、異なるレシート印刷情報が生成されるようにすることが望ましい。従って、決済端末５の印刷能力をカード会社サーバ７において判断するために、決済申込データ受信部７２１が決済端末５の種類に関する情報を当該決済端末５からさらに受信して決済申込データ格納部７２３に格納し、レシート印刷能力特定部７４１が当該決済端末５の種類に関する情報を参照して、決済端末５の印刷能力を特定するようにしてもよい。特定された印刷能力に関する情報は、レシート印刷情報格納部７３７に格納され、レシート印刷情報生成処理部７３５がレシート印刷情報を生成する際に参照される。
【００５０】
さらに、印刷用データに含まれる符号のデータをアルファベットや仮名等の文字に置き換えるための変換表がイメージデータ格納部７１５にさらに含まれ、印刷用コード変換部７３３が当該変換表を参照して符号を変換する処理をさらに行う構成としてもよい。これにより、イラストも符号も印刷できない決済端末５が接続された決済システムであっても、本実施の形態を実装することができる。
【００５１】
なお、上で述べた入力端末３、カード会社サーバ７及び管理サーバ９は、コンピュータ装置であって、図１１に示すように、メモリ１６０１（記憶部）とＣＰＵ１６０３（処理部）とハードディスク・ドライブ（ＨＤＤ）１６０５（記憶部）と表示装置１６０９に接続される表示制御部１６０７とリムーバブル・ディスク１６１１用のドライブ装置１６１３と入力装置１６１５とネットワークに接続するための通信制御部１６１７とがバス１６１９で接続されている。オペレーティング・システム（ＯＳ： Operating System）及び本実施の形態における処理を実施するためのアプリケーション・プログラムは、ＨＤＤ１６０５に格納されており、ＣＰＵ１６０３により実行される際にはＨＤＤ１６０５からメモリ１６０１に読み出される。必要に応じてＣＰＵ１６０３は、表示制御部１６０７、通信制御部１６１７、ドライブ装置１６１３を制御して、必要な動作を行わせる。また、処理途中のデータについては、メモリ１６０１に格納され、必要があればＨＤＤ１６０５に格納される。本発明の実施の形態では、上で述べた処理を実施するためのアプリケーション・プログラムはリムーバブル・ディスク１６１１に格納されて頒布され、ドライブ装置１６１３からＨＤＤ１６０５にインストールされる。インターネットなどのネットワーク及び通信制御部１６１７を経由して、ＨＤＤ１６０５にインストールされる場合もある。このようなコンピュータ装置は、上で述べたＣＰＵ１６０３、メモリ１６０１などのハードウエアとＯＳ及び必要なアプリケーション・プログラムとが有機的に協働することにより、上で述べたような各種機能を実現する。
【００５２】
また、上で述べた決済端末５も、コンピュータ装置であって、図１１と同じようなハードウェア構成である場合もあれば、例えばＨＤＤ１６０５やリムーバブル・ディスク１６１１用のドライブ装置１６１３に代えてフラッシュメモリ等を搭載する場合もある。
【００５３】
（付記１）
クレジットカード番号を含む決済申し込みデータを決済端末から受信し且つ当該決済申し込みにかかる決済が可能であると判断された場合に、上記決済申し込みにかかる利用者により予め指定され且つ上記クレジットカード番号に対応づけて記憶部に格納された記号を、上記クレジットカード番号を用いて特定するステップと、
上記クレジットカード番号の特定の桁を上記記号に置き換えて、上記利用者が上記決済申し込みにかかるクレジットカードを特定するためのカード特定情報を生成するステップと、
生成された上記カード特定情報を含み且つ上記決済端末の印刷装置が上記決済申し込みにかかるカード利用記録票を印刷する際に用いる決済完了情報を生成するステップと、
生成された上記決済完了情報を、上記決済端末に送信するステップと
を含み、コンピュータにより実行される情報処理方法。
【００５４】
（付記２）
決済端末とサーバとを有するコンピュータ・システムにより実行される情報処理方法であって、
決済端末により、クレジットカード番号を含む決済申し込みデータをサーバに送信するステップと、
上記決済申し込みデータを上記決済端末から受信し、当該決済申し込みにかかる決済が可能であると判断された場合に、上記サーバにより、上記決済申し込みにかかる利用者により予め指定され且つ上記クレジットカード番号に対応づけて記憶部に格納された記号を、上記クレジットカード番号を用いて特定するステップと、
上記サーバにより、上記クレジットカード番号の特定の桁を上記記号に置き換えて、上記利用者が上記決済申し込みにかかるクレジットカードを特定するためのカード特定情報を生成するステップと、
上記サーバにより、生成された上記カード特定情報を含み且つ上記決済端末の印刷装置が上記決済申し込みにかかるカード利用記録票を印刷する際に用いる決済完了情報を生成するステップと、
上記サーバにより、生成された上記決済完了情報を、上記決済端末に送信するステップと、
上記決済端末により、上記決済完了情報をサーバから受信するステップと、
上記決済完了情報を用いて、上記印刷装置に上記カード利用記録票を印刷させるステップと
を含む情報処理方法。
【００５５】
（付記３）
上記記号が、少なくとも１つの図画を含む、付記１又は２記載の情報処理方法。
【００５６】
（付記４）
上記図画がイメージデータとして上記記憶部に格納されている、付記３記載の情報処理方法。
【００５７】
（付記５）
上記図画が、上記クレジットカードに印刷されている図画と同一又は対応するものである、付記３又は４記載の情報処理方法。
【００５８】
（付記６）
利用者からの決済申し込みにかかるクレジットカード番号のうち第１の桁が印刷された第１の欄と、上記クレジットカード番号のうち第２の桁に置き換えて文字又は符号が印刷された第２の欄と、上記クレジットカード番号のうち第３の桁に置き換えて図画が印刷された第３の欄とを有し、
上記文字又は符号と上記図画とが、上記決済申し込みに用いられたクレジットカードを識別するために、上記利用者により予め指定されたものであり、
上記図画が、上記クレジットカードに印刷された図画と同一又は対応するものであるカード利用記録票。
【００５９】
（付記７）
利用者により予め指定された図画が印刷されたクレジットカードであって、
上記図画が、上記利用者による上記クレジットカードを用いた決済申し込みにかかるカード利用記録票に、上記クレジットカードのクレジットカード番号のうち特定の桁に置き換えて印刷される図画と同一又は対応するものであるクレジットカード。
【図面の簡単な説明】
【００６０】
【図１】クレジットカード発行処理を実施する際におけるシステム概要図である。
【図２】クレジットカード発行処理の処理フローを示す図である。
【図３】申込データ入力画面の画像の一例を示す図である。
【図４】顧客ＤＢに格納されるデータの一例を示す図である。
【図５】コード変換表のデータの一例を示す図である。
【図６】クレジットカード発行処理において発行されたクレジットカードの一例を示す図である。
【図７】レシート印刷処理を実施する際におけるシステム概要図である。
【図８】レシート印刷処理の処理フローを示す図である。
【図９】レシート印刷処理において生成されたデータを用いて印刷されたレシートの一例を示す図である。
【図１０】レシート印刷処理において生成されたデータを用いて印刷されたレシートのその他の一例を示す図である。
【図１１】コンピュータの機能ブロック図である。
【符号の説明】
【００６１】
１、１３  ネットワーク    ３  入力端末
５  決済端末    ７  カード会社サーバ    ９  管理サーバ
１１  カード作成装置
【図１】
2006259947.tif 000003
【図２】
2006259947.tif 000004
【図３】
2006259947.tif 000005
【図４】
2006259947.tif 000006
【図５】
2006259947.tif 000007
【図６】
2006259947.tif 000008
【図７】
2006259947.tif 000009
【図８】
2006259947.tif 000010
【図９】
2006259947.tif 000011
【図１０】
2006259947.tif 000012
【図１１】
2006259947.tif 000013